(57)【要約】【課題】構造の簡略化と施工の合理化を図り得る基礎を実現する。【解決手段】冷凍倉庫等の建物に適用して好適な基礎の構造において、フーチングと基礎梁と１階の床梁とを兼ねる矩形断面の鉄筋コンクリート造の基礎構造体２０を１方向に延在するように複数並設して、それら基礎構造体２０の上部相互間に１階の床スラブ６を架設するとともに、基礎構造体相互間に床下ピット７を確保する。基礎構造体２０に沿って杭２を列設する。基礎構造体２０を幅寸法が高さ寸法よりも大きい扁平な矩形断面とする。１階の床スラブ６の下面側に断熱材８を一体に打ち込む。【選択図】      図１
2004156241.tif 000002
【特許請求の範囲】
【請求項１】
建物の基礎の構造において、フーチングと基礎梁と１階の床梁とを兼ねる矩形断面の鉄筋コンクリート造の基礎構造体を１方向に延在するように複数並設して、それら基礎構造体の上部相互間に１階の床スラブを架設するとともに、基礎構造体相互間に床下ピットを確保したことを特徴とする建物の基礎の構造。
【請求項２】
基礎構造体に沿って杭を列設したことを特徴とする請求項１記載の建物の基礎の構造。
【請求項３】
基礎構造体を幅寸法が高さ寸法よりも大きい扁平な矩形断面としたことを特徴とする請求項１または２記載の建物の基礎の構造。
【請求項４】
１階の床スラブの下面側に断熱材を一体に打ち込んだことを特徴とする請求項１，２または３記載の建物の基礎の構造。
【発明の詳細な説明】
【０００１】
【発明の属する技術分野】
本発明は建物の基礎の構造、特に１階の床に充分な断熱性能が要求される冷凍倉庫等の建物に適用して好適な構造に関する。
【０００２】
【従来の技術】
周知のように、建物の基礎としては、べた基礎やフーチング基礎等の直接基礎、支持杭や摩擦杭等による杭基礎等、様々な構造のものがあり、建物の規模や地盤状況に応じて最適なものが採用されている。
【０００３】
ところで、１階の床に充分な断熱性能が要求される建物、たとえば大規模な冷凍倉庫等の建物にあっては、１階の床スラブから地盤への熱ロスや地盤凍結を防止する必要があることから、この種の建物の基礎としては図２に示す構造のものが一般に採用されている。図２は杭基礎の場合のものであって、柱１の位置に４本の杭２からなる群杭を設け、それらの杭頭部にフーチング３を設け、フーチング３間に基礎梁４を設けるとともに基礎梁４間に基礎小梁５を設け、１階の床スラブ６の下方に床下ピット７を確保して床スラブ６の下面側に断熱材８を設けたものである。符号９は転圧した砕石層、１０は捨コンクリートである。
【０００４】
上記の構造の基礎では、床スラブ６の下面側に断熱材８を設けることに加えて床下ピット７が空気層として機能するので優れた断熱性能を確保できるが、特にフーチング３の施工に際しては複雑かつ面倒な鉄筋工事や型枠工事が必要であるし、また、基礎梁４および基礎小梁５を格子状に設けることから床下ピット７内での通気性を確保するために基礎梁４および基礎小梁５に大径の通気孔１１を設ける必要もあり、したがって全体として施工が煩雑にならざるを得ない。
【０００５】
そのため、たとえば特許文献１や特許文献２に示されるように、基礎梁を格子状に設けるのではなく一方向にのみ設けることで構造の簡略化を図り、かつ床下ピットの通気性を自ずと確保することも提案されている
【０００６】
【特許文献１】
特開昭５２−１０７６６１号公報
【特許文献２】
特開昭５３−３３４５５号公報
【０００７】
【発明が解決しようとする課題】
しかし、基礎梁を単に一方向に設けることのみでは、従前の基礎に較べて構造の簡略化と施工の合理化を必ずしも充分に図ることはできず、そのため、さらなる簡略化と合理化を図り得てこの種の建物に適用して最適な基礎の構造が模索されていた。
【０００８】
【課題を解決するための手段】
上記事情に鑑み、請求項１の発明は、建物の基礎の構造において、フーチングと基礎梁と１階の床梁とを兼ねる矩形断面の鉄筋コンクリート造の基礎構造体を１方向に延在するように複数並設して、それら基礎構造体の上部相互間に１階の床スラブを架設するとともに、基礎構造体相互間に床下ピットを確保したことを特徴とする。
【０００９】
請求項２の発明は、請求項１の発明の基礎の構造において、基礎構造体に沿って杭を列設したことを特徴とする。
【００１０】
請求項３の発明は、請求項１または２の発明の基礎の構造において、基礎構造体を幅寸法が高さ寸法よりも大きい扁平な矩形断面としたことを特徴とする。
【００１１】
請求項４の発明は、請求項１，２または３の発明の建物の基礎の構造において、１階の床スラブの下面側に断熱材を一体に打ち込んだことを特徴とする。
【００１２】
【発明の実施の形態】
図１は冷凍倉庫を用途とする建物に本発明を適用した場合の実施形態を示すものである。
【００１３】
本実施形態における建物では、従来一般のこの種の建物の場合と同様に、１階の床スラブ６の下方に床下ピット７を設けるとともに床スラブ６の下面側に断熱材８を設けることで、１階の床の断熱性能を確保し、それによって床スラブ６からの熱ロスと地盤凍結を防止するようにしている。そして、本実施形態では、図２に示した従来一般の基礎におけるフーチング３と基礎梁４とを兼用する矩形断面の鉄筋コンクリート造の基礎構造体２０を１方向にのみ延在するように複数並設して、それら基礎構造体２０の相互間に床下ピット７を確保し、それら基礎構造体２０の上部相互間に１階の床スラブ６を直接的に架設するものとしている。符号２１は床筋、２２は基礎構造体２０における鉄筋である。
【００１４】
基礎構造体２０は、幅寸法が高さ寸法よりも大きくされた扁平な矩形断面とされており、この基礎構造体２０の下部には多数の杭２が基礎構造体２０に沿って一列をなすように列設されている。図２に示したような従来一般の杭基礎では柱１の位置に複数の杭２が群杭として集約して設けられることが通常であるが、本実施形態では多数の杭２を群杭として設けるのではなく基礎構造体２０に沿って分散して列設することにより、従来のようにフーチング３を格別に設けることなく、それら杭２により基礎構造体２０を介して上部構造を支障なく支持し得るものとなっている。
【００１５】
また、床スラブ６の下面側に設けられている断熱材８は、床スラブ６を形成する際の型枠を兼ねるものとされている。すなわち、床スラブ６の施工に際しては鋼製打込型枠２３（いわゆるＦデッキが好適に採用可能である）を採用し、その上に断熱材８を敷設しておいてその上にコンクリートを打設することで、床スラブ６を形成すると同時にその下面側に断熱材８を一体に打ち込むものとしている。ただし、必ずしもそうすることはなく、床スラブ６を施工した後に断熱材８を後付けすることでも良い。
【００１６】
本実施形態の基礎では、図２に示したような従来一般の構造の基礎におけるフーチング３と、基礎梁４と、必要に応じて床スラブ６を支持するために設けられる床梁や束壁としての機能を、基礎構造体２０がそれ自身で全て併せ持つものであり、したがってそれらを個別に設けている従来一般の基礎に較べて構造が格段に簡略化され、その施工も遙かに容易に行い得るものである。
【００１７】
特に、従来一般の基礎ではフーチング３の回りにおいて複雑な配筋工事と型枠工事を必要とするが、本実施形態では杭２を一列に列設することで基礎構造体２０を全長にわたって単なる扁平な矩形断面のものとして設ければ良いから、フーチング３を格別に設ける場合に較べて配筋工事や型枠工事が各段に単純化され、施工の合理化を充分に図ることができる。
【００１８】
また、基礎構造体２０を一方向に並設するのみであるから、基礎梁４を格子状に設ける従来一般の基礎のように床下ピット７が格子状に分断されてしまうことがなく、したがって床下ピット７全体の通気性を自ずと確保できるし、従来のように基礎梁４や基礎小梁５に通気孔１１を設けるような必要も当然になく、この点においても施工性に優れる。
【００１９】
さらに、基礎構造体２０を扁平断面としていることからフーチングとして支障なく機能することはもとより、これを縦長断面とする場合に較べると基礎構造体２０間のスパンが同一であっても床スラブ６の支持スパンは実質的に小さくなり、したがって床スラブ６の剛性確保の点で有利となるし、床スラブ６を支持するための小梁や束材等も不要とすることができる。
【００２０】
なお、本発明は上記実施形態のように１階の床に充分な断熱性能が要求される冷凍倉庫等の建物に適用することが最適ではあるが、他の用途の建物に適用しても勿論良く、いずれにしても基礎の構造の簡略化とその施工の合理化を充分に図ることができる。そして、上記実施形態のように基礎構造体２０を扁平断面とし、杭２を一列をなすように列設し、断熱材８を床スラブ６に一体に打ち込むことが好ましいが、本発明はそれに限るものでもなく、建物の用途や規模、形態等によっては、杭の有無、断熱材の有無を含めて、適宜の設計的変更が可能であることは言うまでもない。
【００２１】
【発明の効果】
請求項１の発明は、フーチングと基礎梁と１階の床梁とを兼ねる矩形断面の鉄筋コンクリート造の基礎構造体を１方向に延在するように複数並設して、それら基礎構造体の上部相互間に１階の床スラブを架設するとともに、基礎構造体相互間に床下ピットを確保したので、従来一般の基礎に較べて構造が遙かに簡略化され、その施工の合理化を充分に図ることができ、床下ピットの通気性および断熱性も自ずと確保でき、冷凍倉庫等を用途とする建物に適用して最適である。
【００２２】
請求項２の発明は、基礎構造体に沿って杭を列設したので、柱の位置に複数の杭をまとめて設ける場合のように格別のフーチングを設ける必要がない。
【００２３】
請求項３の発明は、基礎構造体を幅寸法が高さ寸法よりも大きい扁平な矩形断面としたので、フーチングとして支障なく機能できるものであるし、床スラブの支持スパンが自ずと小さくなるので床スラブの剛性確保の点で有利である。
【００２４】
請求項４の発明は、１階の床スラブの下面側に断熱材を一体に打ち込んだので、床スラブの断熱性を確保できるとともに、断熱材を打込型枠とすることで床スラブの施工が容易となる。
【図面の簡単な説明】
【図１】本発明の実施形態である基礎の構造を示す図である。
【図２】従来一般の基礎の一例を示す図である。
【符号の説明】
１  柱
２  杭
３  フーチング
４  基礎梁
５  基礎小梁
６  床スラブ
７  床下ピット
８  断熱材
９  砕石層
１０  捨コンクリート
１１  通気孔
２０  基礎構造体
２１  床筋
２２  鉄筋
２３  鋼製打込型枠
【図１】
2004156241.tif 000003
【図２】
2004156241.tif 000004